(57)【要約】【課題】  本発明は装置本体に配設されたコネクタ等を覆うカバーを有する携帯用電子装置に関し、カバーの操作性を良好に保ちつつ外観性の向上をも図ることを課題とする。【解決手段】  ハウジング１１に形成された開口部１６を覆うカバー本体２１と、一端がカバー本体２１に接続されると共に他端がハウジング１１に係止される接続部２２とにより構成されるカバー２０を有してなる携帯用電子装置において、接続部２２を、カバー本体２１に接続された第１の部位２５と、この第１の部位２５に対して略直角方向に延出形成された第２の部位２６とを有する構成とする。かつ、第２の部位２６を、ハウジング１１に形成された挿入孔１９に挿入することにより、ハウジング１１内に装着される構成とする。【選択図】  図７
2006039684.tif 000002
【特許請求の範囲】
【請求項１】
筐体と、前記筐体の開口部を覆うカバー本体と、一端が該カバー本体に接続されると共に他端が前記筐体に係止される接続部から構成されるカバーとを有する携帯用電子装置において、
前記接続部が、前記カバー本体に接続された第１の部位と、該第１の部位に対して略直角方向に延出され、前記筐体に形成された挿入孔に挿入することにより、前記カバーが前記筐体に装着される第２の部位とから構成されることを特徴とする電子装置。
【請求項２】
請求項１記載の携帯用電子装置において、
前記第２の部位に、前記接続部が前記挿入孔に挿入される時に前記筐体の表面の挿入孔周縁部に係合すると共に、前記接続部が該挿入孔に挿入された後は前記筐体の背面の挿入孔周縁部に係合する係合突起を形成したことを特徴とする電子装置。
【請求項３】
請求項１または２記載の携帯用電子装置において、
前記筐体に設けられた係合部と係合する係合爪を前記カバー本体に形成したことを特徴とする電子装置。
【請求項４】
請求項１乃至３のいずれか１項に記載の携帯用電子装置において、
前記筐体に、前記第１の部位が装着される装着凹部を形成したことを特徴とする電子装置。
【請求項５】
請求項１乃至４のいずれか１項に記載の携帯用電子装置において、
前記カバー本体の外側面と前記第１の部位の外側面が、略平面を形成するよう構成したことを特徴とする電子装置。
【請求項６】
請求項１乃至５のいずれか１項に記載の携帯用電子装置において、
前記カバーを弾性材により形成したことを特徴とする電子装置。
【請求項７】
筐体の開口部を覆うカバー本体と、一端が該カバー本体に接続されると共に他端が前記筐体に係止される接続部から構成されるカバーにおいて、
前記接続部が、前記カバー本体に接続された第１の部位と、該第１の部位に対して略直角方向に延出形成され、前記筐体に形成された挿入孔に挿入することにより、前記カバーが前記筐体に装着される第２の部位から構成されることを特徴とするカバー。
【請求項８】
請求項７記載のカバーにおいて、
前記第２の部位に、前記接続部が前記挿入孔に挿入される時に前記筐体の表面の挿入孔周縁部に係合すると共に、前記接続部が該挿入孔に挿入された後は前記筐体の背面の挿入孔周縁部に係合する係合突起を形成したことを特徴とするカバー。
【請求項９】
請求項７または８記載のカバーにおいて、
前記筐体に設けられた係合部と係合する係合爪を前記カバー本体に形成したことを特徴とするカバー。
【請求項１０】
請求項７乃至９のいずれか１項に記載のカバーにおいて、
前記筐体の装着凹部に、前記第１の部位が装着されることを特徴とするカバー。
【発明の詳細な説明】
【技術分野】
【０００１】
本発明は携帯用電子装置及びカバーに係り、特に装置本体に配設されたコネクタ等を覆うカバー及びこれを有する携帯用電子装置に関する。
【背景技術】
【０００２】
例えば、パーソナルコンピュータ（以下、ＰＣと略称する）に代表される電子装置は、外部接続機器と接続するためのコネクタが設けられている。いわゆるデスクトップタイプの比較的形状の大きさに自由度のあるＰＣでは、上記のコネクタはＰＣ本体の背面側に露出した状態で配置されている。
【０００３】
これに対していわゆるラップトップタイプといわれる小型化された携帯タイプのＰＣでは、コネクタが外部に露出した構成では携帯性及び外観性が良好でないため、コネクタをＰＣのハウジングの内部に配置すると共にこのコネクタと対向するハウジングに開口部を形成し、この開口部を介してコネクタにプラグを接続する構成としている。また、コネクタの不使用時には、開口部をカバーにより覆い、これにより外観性の向上を図っている。
【０００４】
しかしながら、このカバーをハウジングと別体の構成とすると、カバーを紛失する可能性が高い。このため、例えば特許文献１〜特許文献３に示されるような、カバーとハウジングを接続する種々の構成が提案されている。
【０００５】
特許文献１には、コンセントの差込部を覆うコンセントカバーが示されている。このコンセントカバーは、取付部，カバー部，接続部等により構成されている。取付部は接続部の一端に形成されており、接続部の他端部にはカバー部が形成されている。取付部はコンセントに定着固定される部位であり、コンセントに接着剤により固定される。また、カバー部には爪片が形成されており、この爪片をプラグ差込口に挿入することにより、コンセントのプラグ差込口はコンセントカバーにより覆われる構成となっている。
【０００６】
また、特許文献２には、ホルダに形成されたプラグ挿入口を覆うプラグ挿入口用蓋板が示されている。このプラグ挿入口用蓋板は、プラグ挿入口を直接覆う蓋板と、ホルダに形成された溝部に係合することにより取り付けられる係合対と、この蓋板と係合対とを連結するアームとにより構成されている。更に、特許文献３には、テーブルタップに設けられたコンセント孔を覆うコンセントカバーが示されている。このコンセントカバーは、紐状の接続部を介してテーブルタップと一体的に形成された構成とされている。
【特許文献１】特開平１１−３２９５５７号公報
【特許文献２】特開平１１−０５４２０１号公報
【特許文献３】特開２００３−３１２９７号公報
【発明の開示】
【発明が解決しようとする課題】
【０００７】
上記した特許文献１〜特許文献３に開示された構成は、いずれも接続部が設けられており、この接続部を介してコンセントの差込部等を覆うカバー部（プラグ挿入口用蓋板，コンセントカバー）はンセント等に固定される構成とされている。この接続部はカバー部の操作性に影響するものであり、接続部が短いとカバー部をコンセントの差込部に指し込む操作が面倒になってしまう。このため、通常接続部は、カバー部の操作性を保持しうる長さに設定されている。
【０００８】
ところで、上記のようなカバー部及び接続部を有するカバーを携帯タイプのＰＣ等の携帯用電子機器に適用すると、カバー部の紛失は防止されるが、必然的に接続部がハウジング上に位置することとなる。特に、カバー部の操作性の向上を図る面から接続部を長く設定した場合には、ハウジングの開口部（コネクタが設けられている）にカバー部を装着した場合、従来の構成では、接続部はハウジング上にループ状に出っ張った状態となる。
【０００９】
しかしながら、このようにハウジング上にループ状に接続部が出っ張った状態では、携帯用電子機器を携帯する際に接続部が邪魔となり、何らかの要因で接続部が引っ張られた場合においは、カバー部が開口部から外れてしまったり、また引っ張り力が強い場合には接続部が切断してしまったりする場合いが生じてしまう。
【００１０】
これを防止するには、接続部の長さを短くしたり、或は太くして強度を高めたりすることが有効である。しかしながら、このような構成とした場合にはカバー部の操作性が低下してしまうことは前述した通りである。
【００１１】
本発明は上記の点に鑑みてなされたものであり、操作性を良好に保ちつつ外観性の向上も図りうるカバー及び携帯用電子装置を提供することを目的とする。
【課題を解決するための手段】
【００１２】
上記の課題を解決するために本発明では、次に述べる各手段を講じたことを特徴とするものである。
【００１３】
請求項１記載の発明は、
筐体と、前記筐体の開口部を覆うカバー本体と、一端が該カバー本体に接続されると共に他端が前記筐体に係止される接続部から構成されるカバーとを有する携帯用電子装置において、
前記接続部が、前記カバー本体に接続された第１の部位と、該第１の部位に対して略直角方向に延出され、前記筐体に形成された挿入孔に挿入することにより、前記カバーが前記筐体に装着される第２の部位とから構成されることを特徴とするものである。
【００１４】
また、請求項２記載の発明は、
請求項１記載の携帯用電子装置において、
前記第２の部位に、前記接続部が前記挿入孔に挿入される時に前記筐体の表面の挿入孔周縁部に係合すると共に、前記接続部が該挿入孔に挿入された後は前記筐体の背面の挿入孔周縁部に係合する係合突起を形成したことを特徴とするものである。
【００１５】
また、請求項３記載の発明は、
請求項１または２記載の携帯用電子装置において、
前記筐体に設けられた係合部と係合する係合爪を前記カバー本体に形成したことを特徴とするものである。
【００１６】
また、請求項４記載の発明は、
請求項１乃至３のいずれか１項に記載の携帯用電子装置において、
前記筐体に、前記第１の部位が装着される装着凹部を形成したことを特徴とするものである。
【００１７】
また、請求項５記載の発明は、
請求項１乃至４のいずれか１項に記載の携帯用電子装置において、
前記カバー本体の外側面と前記第１の部位の外側面が、略平面を形成するよう構成したことを特徴とするものである。
【００１８】
また、請求項６記載の発明は、
請求項１乃至５のいずれか１項に記載の携帯用電子装置において、
前記カバーを弾性材により形成したことを特徴とするものである。
【００１９】
また、請求項７記載の発明は、
筐体の開口部を覆うカバー本体と、一端が該カバー本体に接続されると共に他端が前記筐体に係止される接続部から構成されるカバーにおいて、
前記接続部が、前記カバー本体に接続された第１の部位と、該第１の部位に対して略直角方向に延出形成され、前記筐体に形成された挿入孔に挿入することにより、前記カバーが前記筐体に装着される第２の部位から構成されることを特徴とするものである。
【００２０】
また、請求項８記載の発明は、
請求項７記載のカバーにおいて、
前記第２の部位に、前記接続部が前記挿入孔に挿入される時に前記筐体の表面の挿入孔周縁部に係合すると共に、前記接続部が該挿入孔に挿入された後は前記筐体の背面の挿入孔周縁部に係合する係合突起を形成したことを特徴とするものである。
【００２１】
また、請求項９記載の発明は、
請求項７または８記載のカバーにおいて、
前記筐体に設けられた係合部と係合する係合爪を前記カバー本体に形成したことを特徴とするものである。
【００２２】
また、請求項１０記載の発明は、
請求項７乃至９のいずれか１項に記載のカバーにおいて、
前記筐体の装着凹部に、前記第１の部位が装着されることを特徴とするものである。
【００２３】
上記の請求項１及び請求項７記載の発明によれば、
接続部が第１の部位と、この第１の部位に対して延出形成された第２の部位とにより構成されているため、カバー本体を筐体の開口部に装着する時は、第１及び第２の部位を筐体から引き出すことにより接続部を長くすることができ、よってカバー本体の開口部に対する装着操作を容易に行うことができる。また、カバー本体を筐体の開口に装着した状態では、接続部の第２の部位は筐体に形成された挿入孔に挿入されることにより筐体内に装着されるため、カバーの装着状態において接続部が筐体から出っ張ることはなく、携帯用電子装置の携帯性及び外観性を高めることができると共に、カバーが筐体から離脱することを防止できる。
【００２４】
また、請求項２及び請求項８記載の発明によれば、
カバーの装着状態においては、第２の部位に形成された係合突起が筐体の背面の挿入孔周縁部に係合するため、第２の部位が挿入孔から出てしまうことを防止でき、よってカバーの装着状態において接続部が筐体から出っ張ることをより確実に防止でき、携帯用電子装置の携帯性の向上及びカバーの筐体からの離脱を防止できる。また、カバーを筐体に装着操作する際、第２の部位に形成された係合突起は筐体の表面の挿入孔周縁部に係合する。この際、第２の部位は第１の部位に対し略直角方向に延出形成されているため、角部が筐体表面より突出した状態となっている。よって、この突出した角部を押し込むことにより係合突起は挿入孔内にクリック感をもって挿入され、これにより第２の部位を確実に筐体内に装着させることができる。
【００２５】
また、請求項３及び請求項９記載の発明によれば、
先ず係合部に係止爪を係合させた上で、カバー本体をこの係合位置を中心として回転させることによりカバー本体を開口部に容易に装着することができ、筐体に対するカバーの装着性を高めることができる。
【００２６】
また、請求項４及び請求項１０記載の発明によれば、
カバーを筐体に装着した際、接続部の第１の部位は筐体に形成された装着凹部内に装着されるため、第１の部位が筐体から出っ張るようなことはない。よって、携帯性及び外観性の向上を図れると共に、携帯時に接続部が誤って引っ張られることがないためカバーが筐体から外れてしまうことを防止できる。
【００２７】
また、請求項５記載の発明によれば、
カバー本体の外側面と第１の部位の外側面が略平面を形成し、突出する部分が無いよう構成されているため、携帯性及び外観性の向上を図ることができると共に、携帯時におけるカバーの筐体からの離脱をより確実に防止できる。
【００２８】
また、請求項６記載の発明によれば、
カバーを弾性材により形成したことにより、カバーを筐体に形成された開口部に装着脱する操作の操作性を高めることができる。また、カバーが弾性変形しつつ開口部に装着される構成とすることができ、カバーの筐体からの離脱を防止することもできる。
【発明の効果】
【００２９】
上述の如く本発明によれば、カバー本体の開口部に対する装着操作性、携帯用電子装置の携帯性、及び外観性を高めることができると共に、カバーが筐体から離脱することを防止できる。
【発明を実施するための最良の形態】
【００３０】
次に、本発明を実施するための最良の形態について図面と共に説明する。
【００３１】
図１及び図２は、本発明の一実施例である携帯用電子装置１０を示してる。本実施例では、携帯用電子装置１０として携帯用（ラップトップタイプ）のパーソナルコンピュータを例に挙げている。尚、各図において、図示の便宜上、携帯用電子装置１０に設けられる液晶表示装置が組み込まれた蓋体部分についてはその図示を省略している。
【００３２】
携帯用電子装置１０は、ハウジング（筐体）１１のフロント面にキーボード１２，フラットポイント１３，アプリケーションスイッチ１４，及び状態表示ＬＥＤ１５等が設けられている。また、ハウジング１１の側面には各種の外部接続用のコネクタが設けられている。本実施例では、ハウジング１１の側面に各種設けられるコネクタの内、特にＣＲＴインターフェースコネクタ１７（以下、単にコネクタ１７という）及びこれを保護するカバー２０に注目して説明するものとする。
【００３３】
図２に示すように、コネクタ１７はハウジング１１の側面に凹形状に形成された開口部１６内にボルト３５（図６参照）を用いて固定されている。携帯用電子装置１０は携帯使用されるものであるため、コネクタ１７を開口部１６に露出した状態では携帯性及び外観性（いわゆる美観）が不良となる。このため本実施例では、図１に示されるように、この開口部１６を覆うカバー２０を設けた構成としている。
【００３４】
図３は、本実施例で用いられるカバー２０を示す分解斜視図である。同図に示すように、カバー２０はカバー半体２３とカバー半体２４を組み合わせて一体化した構造を有してる。この各カバー半体２３，２４は、シリコンゴム或は弾性を有する樹脂により形成されている。
【００３５】
この一対のカバー半体２３，２４を接合は、カバー半体２３に形成された突起３１をカバー半体２４に形成されている孔３２に挿通し、この孔３２から突出した突起３１を熱でかしめる或は接着剤で固定することにより一体化する構成としている。尚、本実施例でカバー２０を二つのカバー半体２３，２４から構成したのは金型作製上の理由からである。よって、カバー２０の形状を抜き形性の良好な形状とすることにより、カバー２０を一つの部材で構成することも可能である。
【００３６】
上記のようにカバー半体２３，２４を一体化してなるカバー２０は、大略するとカバー本体２１，接続部２２，及びレバー片２９等により構成されている。カバー本体２１は、カバー２０がハウジング１１に装着された状態において、ハウジング１１に形成された開口部１６を覆うようその形状が設定されている。
【００３７】
図４及び図５は、カバー２０がハウジング１１に装着された状態を示している。図４は、カバー２０が装着された状態を示す平面図であり、また図５はその斜視図である。各図に示すように、カバー２０がハウジング１１に装着された状態において、開口部１６はカバー本体２１により確実に覆われた状態となっており、よってコネクタ１７に塵埃が侵入することを確実に防止している。
【００３８】
レバー片２９は、カバー本体２１の長手方向の一端部（図３における、矢印Ｘ１方向端部）に形成されている。このレバー片２９は、カバー本体２１の長手方向に対し略直角方向（図中、矢印Ｙ１方向）に延出するよう形成されている。また、レバー片２９の先端部には、外側に向け突出した係合爪３０が形成されている。
【００３９】
一方、カバー本体２１のレバー片２９が形成された端部と反対側の端部（図３における、矢印Ｘ２方向端部）には、接続部２２が形成されている。この接続部２２は、第１の部位２５と第２の部位２６とにより構成されている。第１の部位２５は、一端部（図３におけるＸ１方向端部）がカバー本体２１に一体的に接続されている。また、第１の部位２５の外側面３４は、カバー本体２１の外側面３３と略同一平面となるよう構成されている（図５参照）。
【００４０】
また、第１の部位２５の他端部（図３中、Ｘ２方向端部）には、第２の部位２６が一体的に接続するよう形成されている。この第２の部位２６は、第１の部位２５に対し略直角方向（図３中、矢印Ｙ１方向）に延出するよう形成されている。従って、第１の部位２５と第２の部位２６との接合部には、角部３６（折り曲げ部）が形成される。この接続部２２は、ハウジング１１の開口部１６の側部に形成された装着凹部１８内に設けられた挿入孔１９に挿入可能な構成とされている。そして、接続部２２は、挿入孔１９内に挿入された状態においてハウジング１１内に装着された状態となる。
【００４１】
更に、接続部２２を構成する第２の部位２６には、第１の係合突起２７及び第２の係合突起２８が形成されている。この各係合突起２７，２８は、いずれも第２の部位２６の両側縁から、第２の部位２６の幅方向（図３中、矢印Ｚ１，Ｚ２方向）に突出するよう形成されている。また、各係合突起２７，２８は、矢印Ｙ１方向に従い幅狭となる傾斜を有するよう構成されている。尚、第１の係合突起２７の幅寸法Ｗ１は、第２の係合突起２８の幅寸法Ｗ２に比べ、若干大きく設定されている（Ｗ１＞Ｗ２）。また、第２の係合突起２８の幅寸法Ｗ２は、ハウジング１１に形成された挿入孔１９の幅寸法Ｗ３（図７に示す）よりも、若干大きく設定されている（Ｗ１＞Ｗ２＞Ｗ３）。
【００４２】
第１の係合突起２７は、第２の部位２６の図中矢印Ｙ１方向端部に形成されている。この第１の係合突起２７は、接続部２２をハウジング１１の挿入孔１９に挿入した際、ハウジング１１の背面における挿入孔１９の外周縁と強く当接し、接続部２２がハウジング１１から離脱するのを防止する機能を奏するものである。
【００４３】
即ち、第１の係合突起２７の幅寸法Ｗ１は、挿入孔１９の幅寸法Ｗ３よりもかなり大きい。このため、接続部２２をハウジング１１から引き抜く方向に力が印加されたとしても、第１の係合突起２７はハウジング１１に（具体的には、挿入孔１９の外周縁に）強固に係合するため、接続部２２が挿入孔１９から容易に抜け出すことを防止できる。これにより、携帯用電子装置１０であっても、カバー２０がハウジング１１から離脱することを確実に防止することができる。
【００４４】
一方、第２の係合突起２８は、第１の係合突起２７の形成位置と角部３６の形成位置との間に形成されている。この第２の係合突起２８の形成位置は、接続部２２が挿入孔１９に挿入された際、ハウジング１１の背面における挿入孔１９の周縁部に係合する位置とされている。また、接続部２２が挿入孔１９に挿入される時には、第２の係合突起２８はハウジング１１の表面の挿入孔周縁部に係合する。この状態で更に強く接続部２２を挿入孔１９に押し込むことにより、第２の係合突起２８は弾性変形して挿入孔１９内に進入する。
【００４５】
ところで、上記したように第１の係合突起２７の幅寸法Ｗ１、第２の係合突起２８の幅寸法Ｗ２、及び挿入孔１９の幅寸法Ｗ３は、Ｗ１＞Ｗ２＞Ｗ３の関係を有するよう構成されている。従って、第１の係合突起２７は一旦挿入孔１９内に挿入した後は、ハウジング１１から抜け出ることはない。これに対し、第２の係合突起２８は、第１の係合突起２７に対して小さい幅寸法Ｗ２であるため、挿入孔１９に対して挿入脱可能な構成となっている。
【００４６】
更に、各係合突起２７，２８は、前記したように矢印Ｙ１方向に従い幅狭となる傾斜を有しているため、挿入孔１９内への挿入処理は容易に行いうるが、離脱処理は挿入時に比べて困難な構成とされている。よって、これによっても、カバー２０がハウジング１１から容易に離脱することなく、かつ開口部１６から外れない構成となっている。
【００４７】
続いて、上記構成とされたカバー２０をハウジング１１の開口部１６に装着脱する時の操作に付いて説明する。
【００４８】
図４及び図５は、前記したようにカバー２０がハウジング１１に装着された状態（以下、この状態を装着状態という）を示している。各図に示すように、カバー２０がハウジング１１に装着された状態において、開口部１６はカバー本体２１により確実に覆われており、コネクタ１７に塵埃が侵入することを防止している。また、前記したようにカバー２０は弾性材により形成されているため、コネクタ１７への密着性及び開口部１６への密着性が共に良好である。これにより、コネクタ１７への塵埃の付着を確実に防止できると共に、開口部１６からのカバー本体２１の離脱を防止できる。
【００４９】
また、この装着状態において、接続部２２の第２の部位２６は挿入孔１９に挿入されることによりハウジング１１内に装着された状態となっている。従って装着状態においては、接続部２２の第２の部位２６は外部からは見えず、装着凹部１８内に位置した第１の部位２５のみが見える構成となっている。よって、このカバー２０の装着状態において接続部２２がハウジング１１から出っ張ることはない。
【００５０】
また本実施例では、カバー２０の外側面３３と、第１の部位２５の外側面３３が略同一平面を形成するよう構成しており、これによっても接続部２２がハウジング１１から出っ張ることを防止している。よって、上記の構成とすることにより、携帯用電子装置１０の携帯性及び外観性を高めることができると共に、カバー２０がハウジング１１から離脱することを防止できる。
【００５１】
更に、装着状態では、前記のように第２の部位２６に形成されている第２の係合突起２８は、ハウジング１１の背面の挿入孔周縁部に係合するよう構成されている。このため、第２の部位２６が挿入孔１９から矢印Ｙ２方向に出てしまうことを防止でき、接続部２２がハウジング１１から出っ張ることをより確実に防止できる。
【００５２】
上記した装着状態において、コネクタ１７を使用しようとする場合は、カバー本体２１を開口部１６から取り外す操作を行う。カバー本体２１を開口部１６から取り外すには、先ずカバー本体２１を把持し、手前（図中、Ｙ２方向）に引き出す操作を行う。これにより、第２の部位２６に形成されている第２の係合突起２８とハウジング１１（挿入孔１９の外周縁）との係合は解除され、また係合爪３０と係合凸部１６ａとの係合も解除され、第２の部位２６は矢印Ｙ２方向に引き出される。
【００５３】
しかしながら、第２の部位２６に形成されている第１の係合突起２７がハウジング１１（挿入孔１９の外周縁）と係合することにより、それ以上の引き出しが規制される。図６及び図７は、カバー本体２１がＹ２方向に引き出された状態を示している。この状態において、更にカバー本体２１を図６及び図７に矢印Ａ１方向に回転させることにより、図８に示すように、コネクタ１７は開口部１６から完全に露出した状態（以下、この状態を開蓋状態という）となる。
【００５４】
この開蓋状態においては、接続部２２は第１の部位２５及び第２の部位２６（第１の係合突起２７を除く部分）の双方がハウジング１１から延出した状態となっている。即ち、接続部２２はハウジング１１から長く延出した状態となっている。また、前記したようにカバー２０は弾性材により形成されているため、接続部２２も弾性変形するため、カバー本体２１を任意に変位させることができる。よって、コネクタ１７にＣＲＴプラグ（図示せず）を指し込み操作する際、カバー本体２１を操作の邪魔にないない位置に容易に変位させることができ、カバー２０が指し込み操作の邪魔になるようなことはない。
【００５５】
続いて、カバー２０をハウジング１１に装着する操作について説明する。
【００５６】
カバー２０をハウジング１１に装着する先ずカバー本体２１に形成されているレバー片２９の係合爪３０を開口部１６に形成されている係合凸部１６ａに係合させる。図９は、係合爪３０を係合凸部１６ａに係合させた状態を示している。この際、前記のように接続部２２はハウジング１１から長く延出した状態であるため、係合爪３０を係合凸部１６ａに係合させる操作は容易に行うことができる。
【００５７】
続いて、カバー本体２１をこの係合位置を中心として図中矢印Ａ２方向に回転させる。これにより、カバー本体２１を開口部１６に容易に装着することができ、ハウジング１１に対するカバー２０の装着性を高めることができる
図１０は、カバー本体２１を開口部１６に装着した状態（以下、この状態をカバー本体装着状態という）を示している。この状態において、第２の部位２６に形成されている第２の係合突起２８は、ハウジング１１の表面における挿入孔１９の外周縁と係合した状態を維持している。従ってカバー本体装着状態では、図１０に示されるように平面視した状態において、角部３６を頂部として略三角形状の接続部２２がハウジング１１から突出した状態となっている。
【００５８】
続いて、このハウジング１１から略三角形状に突出した接続部２２（具体的には、角部３６）を図１０に矢印Ｆで示す方向に押圧操作する。これにより、第２の係合突起２８は挿入孔１９内に押し込まれ、これに伴い第２の部位２６も挿入孔１９内に挿入される。
【００５９】
この際、第２の係合突起２８が挿入孔１９内に押し込まれる際、操作者はクリック感をもって挿入されたことを認識でき、よって第２の部位２６がハウジング１１内に確実に収納されたことをこのクリック感で確認することができる。また、第２の部位２６がハウジング１１内に収納された状態において、カバー２０は図４及び図５に示す収納状態に戻る。よって、第１の部位２５もハウジング１１の側面と平行な状態となり、カバー２０がハウジング１１から突出するようなことはない。
【００６０】
ところで、本実施例では接続部２２を第１の部位２５と、これに対して略直角方向に延出する第２の部位２６とにより構成した。しかしながら、接続部２２を折曲することなく帯状の接続部（以下、この接続部を無段接続部４０という）とすることも考えられる。図１１乃至図１３は、本実施例の比較例としてこの無段接続部４０を設けた携帯用電子装置を示している。
【００６１】
ハウジング１１とカバー本体２１とを無段接続部４０を用いて接続した場合、図１１及び図１２に示すように、カバー本体２１を開口部１６に装着しようとしたときに無段接続部４０は湾曲してしまう。この無段接続部４０は挿入孔１９内に挿入する必要があるが、無段接続部４０が湾曲していると挿入孔１９内への挿入操作は困難で、図１３に示すように、装着凹部１８から出っ張った状態となってしまう。即ち、無段接続部４０を用いた場合には、必然的に無段接続部４０はハウジング１１から突出してしまい、携帯性及び外観性が劣化してしまう。これに対して本実施例に係る携帯用電子装置１０によれば、上記したように接続部２２がハウジング１１から突出するようなことはなく、携帯性及び外観性を高めることができる。
【００６２】
尚、上記した実施例では、携帯用電子装置１０としてパーソナルコンビュータを例に挙げて説明したが、本発明の適用はこれに限定さるものではなく、カバーが装着される携帯用電子装置（例えば、携帯電話等）に広く適用が可能なものである。
【００６３】
また、本実施例では接続部２２を第１の部位２５と、この第１の部位２５に対して角部３６を介して接続され第２の部位２６との二つの部位により構成した。しかしながら、接続部２２は、二つの部位からなる構成に限定されるものではなく、３つ以上の部位からなる構成としててもよい。
【００６４】
また、以上の説明に関し、更に以下の項を開示する。
（付記１）
筐体と、
前記筐体の開口部を覆うカバー本体と、一端が該カバー本体に接続されると共に他端が前記筐体に係止される接続部から構成されるカバーとを有する携帯用電子装置において、
前記接続部が、前記カバー本体に接続された第１の部位と、該第１の部位に対して略直角方向に延出形成され、前記筐体に形成された挿入孔に挿入することにより、前記カバーが前記筐体に装着される第２の部位から構成されることを特徴とする電子装置。
（付記２）
付記１記載の携帯用電子装置において、
前記第２の部位に、前記接続部が前記挿入孔に挿入される時に前記筐体の表面の挿入孔周縁部に係合すると共に、前記接続部が該挿入孔に挿入された後は前記筐体の背面の挿入孔周縁部に係合する係合突起を形成したことを特徴とする電子装置。
（付記３）
付記１または２記載の携帯用電子装置において、
前記筐体に設けられた係合部と係合する係合爪を前記カバー本体に形成したことを特徴とする電子装置。
（付記４）
付記１乃至３のいずれか１項に記載の携帯用電子装置において、
前記筐体に、前記第１の部位が装着される装着凹部を形成したことを特徴とする電子装置。
（付記５）
付記１乃至４のいずれか１項に記載の携帯用電子装置において、
前記カバー本体の外側面と前記第１の部位の外側面が、略平面を形成するよう構成したことを特徴とする電子装置。
（付記６）
付記１乃至５のいずれか１項に記載の携帯用電子装置において、
前記カバーを弾性材により形成したことを特徴とする電子装置。
（付記７）
筐体の開口部を覆うカバー本体と、一端が該カバー本体に接続されると共に他端が前記筐体に係止される接続部から構成されるカバーにおいて、
前記接続部が、前記カバー本体に接続された第１の部位と、該第１の部位に対して略直角方向に延出形成され、前記筐体に形成された挿入孔に挿入することにより、前記カバーが前記筐体に装着される第２の部位から構成されることを特徴とするカバー。
（付記８）
付記７記載のカバーにおいて、
前記第２の部位に、前記接続部が前記挿入孔に挿入される時に前記筐体の表面の挿入孔周縁部に係合すると共に、前記接続部が該挿入孔に挿入された後は前記筐体の背面の挿入孔周縁部に係合する係合突起を形成したことを特徴とするカバー。
（付記９）
付記７または８記載のカバーにおいて、
前記筐体に設けられた係合部と係合する係合爪を前記カバー本体に形成したことを特徴とするカバー。
（付記１０）
付記７乃至９のいずれか１項に記載のカバーにおいて、
前記筐体の装着凹部に、前記第１の部位が装着されることを特徴とするカバー。
（付記１１）
付記７乃至１０のいずれか１項に記載のカバーにおいて、
前記カバー本体の外側面と前記第１の部位の外側面が、略平面を形成するよう構成したことを特徴とするカバー。
（付記１２）
付記７乃至１１のいずれか１項に記載のカバーにおいて、
前記カバーを弾性材により形成したことを特徴とするカバー。
【図面の簡単な説明】
【００６５】
【図１】図１は、本発明の一実施例である携帯用電子装置を示す斜視図である。
【図２】図２は、図１に示す携帯用電子装置において、カバーを取り外した状態を示すし矢視図である。
【図３】図３は、本発明の一実施例である携帯用電子装置に適用されるカバーの分解斜視図である。
【図４】図４は、本発明の一実施例である携帯用電子装置において、カバーが開口部に装着された状態を示す平面図である。
【図５】図５は、本発明の一実施例である携帯用電子装置において、カバーが開口部に装着された状態を示す斜視図である。
【図６】図６は、本発明の一実施例である携帯用電子装置において、開口部からカバーを引き出した状態を示す平面図である。
【図７】図７は、本発明の一実施例である携帯用電子装置において、開口部からカバーを引き出した状態を示す斜視図である。
【図８】図８は、本発明の一実施例である携帯用電子装置において、開口部からカバーを取り外した状態を示す平面図である。
【図９】図９は、本発明の一実施例である携帯用電子装置において、カバーを開口部に装着するため、係合爪を係合凸部に係合した状態を示す平面図である。
【図１０】図１０は、本発明の一実施例である携帯用電子装置において、カバー本体を回転させることによりカバー本体を開口部に装着した状態を示す平面図である。
【図１１】図１１は、本発明の比較例である携帯用電子装置を示す平面図である。
【図１２】図１２は、本発明の比較例である携帯用電子装置を示す斜視図である。
【図１３】図１３は、本発明の比較例である携帯用電子装置で発生する問題点を説明するための斜視図である。
【符号の説明】
【００６６】
１０  携帯用電子装置
１１  ハウジング
１６  開口部
１６ａ  係合凸部
１７  コネクタ
１８  装着凹部
１９  挿入孔
２０  カバー
２１  カバー本体
２２  接続部
２５  第１の部位
２６  第２の部位
２７  第１の係合突起
２８  第２の係合突起
３０  係合爪
３３，３４  外側面
３６  角部
【図１】
2006039684.tif 000003
【図２】
2006039684.tif 000004
【図３】
2006039684.tif 000005
【図４】
2006039684.tif 000006
【図５】
2006039684.tif 000007
【図６】
2006039684.tif 000008
【図７】
2006039684.tif 000009
【図８】
2006039684.tif 000010
【図９】
2006039684.tif 000011
【図１０】
2006039684.tif 000012
【図１１】
2006039684.tif 000013
【図１２】
2006039684.tif 000014
【図１３】
2006039684.tif 000015